(57)【要約】【課題】スロットイン方式の記録再生装置に情報媒体を装着する際に、情報媒体と挿入口とを平行にしなければ、情報媒体を落下させる危険性がある。【解決手段】本体パネル１０１と、本体パネル１０１の前面を覆うフロントパネル１０２と、フロントパネル１０２に形成されたテープカセットテープ１０８を挿入する挿入口１０３とを有するビデオテープレコーダ装置において、挿入口１０３へのビデオカセットテープ１０８の挿入を補助する挿入補助部１０７を備える。挿入補助部１０７にビデオカセットテープ１０８を一旦載置し、しかる後ビデオカセットテープ１０８を挿入口１０３方向に押し込むため、ビデオカセットテープ１０８の落下を防止できる。【選択図】図２
2006164441.tif 000002
【特許請求の範囲】
【請求項１】
情報媒体の回転中心に嵌合し前記情報媒体を所定の回転数で回転する回転手段と、前記情報媒体が備える情報層にユーザデータ信号の授受をするヘッド手段と、前記ユーザデータ信号を変換し前記情報層に記録または再生する記録再生手段と、前記回転手段、前記ヘッド手段及び前記記録再生手段を有する装置本体部と、前記情報媒体を外部から前記装置本体部内部に挿入する挿入口と、前記挿入口から回転手段まで前記情報媒体を搬送する搬送手段とを有し、前記挿入口から前記搬送手段を介して前記情報媒体を前記装置本体部に挿入する際に、当該情報媒体の落下を防止し前記挿入口へ前記情報媒体の挿入を補助する挿入補助手段を備えることを特徴とする記録再生装置。
【請求項２】
前記挿入補助手段における前記情報媒体の接触部は、前記挿入補助手段の中心部が陥没するテーパ形状または曲面形状を備えることを特徴とする請求項１記載の記録再生装置。
【請求項３】
前記挿入補助手段が前記情報媒体の載置を検出する検出手段を備えることを特徴とする請求項１または２何れかに記載の記録再生装置。
【請求項４】
前記挿入口と前記装置本体部との間に当該装置本体部に前記情報媒体の挿入を阻止するシャッター手段を備え、前記検出手段が当該情報媒体と検出した際に当該シャッター手段を開扉することを特徴とする請求項３記載の記録再生装置。
【請求項５】
前記挿入補助手段を照射する発行手段をさらに備えることを特徴とする請求項１〜４何れかに記載の記録再生装置。
【発明の詳細な説明】
【技術分野】
【０００１】
本発明は、可換情報媒体を記録再生する記録再生装置に関する。
【背景技術】
【０００２】
オーディオテープカセットの録音再生機またはビデオテープカセットの録画再生機は、例えば図１６に示す特許文献１に開示されているように、フロントドア１に備えられカセットドア２で塞がれた開口部３から、カセットドア支持軸４廻りにバネ５で付勢されたカセットドア２を、磁気カセット６で押圧することで磁気カセット６を作動機構部７に挿入していた。開口部３からカセット６を挿入する構成により、装置本体の上面に設けた装着口から磁気カセット６を垂直方向に装填するいわゆるアップダウン方式に比べると、装置本体の上に他の装置等を積み重ねることができると共に装置本体の小型化ができる。また、カセットドア２を備えることで、装置本体に埃等が入り込むことを防止する防塵機能を付加することができる。
【０００３】
また、情報媒体はテープからディスクに移行されているが、一般的にディスク装置ではトレイにディスクを載置し、当該トレイによりディスクを回転するスピンドルモータ及び光ピックアップの位置まで搬送するいわゆるトレイローディング方式が適用されているが、図１７に示す特許文献２のようにオートローディングディスクプレーヤ（以下、ディスクプレーヤと称す）８のフロントパネル９に備えたスロット１０からディスク１１を挿入するいわゆるスロットインタイプも普及している。なお、スロット１０内部に扉を備え防塵性を保証する提案も例えば特許文献３で開示されている。
【０００４】
特許文献１に開示されているカセットドア２も特許文献３に開示されている扉も、情報媒体（特許文献１では磁気カセット６、特許文献３ではディスク）を当接させることでカセットドア２及び扉が装置本体側に回動し、情報媒体が装置本体に収納されると開口部３を閉ざす構成である。
【特許文献１】特開平６−２０８７８２号公報
【特許文献２】特開昭６０−２１４４５５号公報
【特許文献３】特開２００３−２３３９７８号公報
【発明の開示】
【発明が解決しようとする課題】
【０００５】
特許文献１に開示されている磁気記録再生装置では、アップダウン方式に比べると小型化、及び磁気記録再生装置の上に他の装置等を載置できる構成が可能であるが、テープカセット６を開口部３に対して挿入するときは目視で大凡の位置決めを行い、テープカセット６を挿入するため、開口部３に対してずれてテープカセット６を押圧すると、テープカセット６が落下する危険性がある。磁気テープはカセットに装着されているため、テープカセット６が落下により損傷すると、テープカセット６に装着されている磁気テープは使用不可能となるため、使用者に対して注意を喚起しなければならない課題がある。
【０００６】
また、特許文献２に開示されているディスクプレーヤ７はディスクトレイを具備しないため、スロット９からディスクトレイが突出することが無く、またディスクトレイをディスクプレーヤ７の内部に収納する必要がないことから、ディスクプレーヤ７の奥行きを最小化することができる。しかしながら、ディスク１０をスロット９に挿入する際に、ディスク１０の外周がスロット９に対して平行関係になる保証がないため、当該外周がフロントパネル８の壁面に当接、あるいはディスク１０の情報層面がスロット９の開口に当接する等で、挿入性が悪いという課題がある。
【０００７】
本発明は係る従来の課題に鑑み、挿入口から情報媒体の挿入性を改良した記録再生装置の提供を目的とする。
【課題を解決するための手段】
【０００８】
上記課題を克服するため、本発明の記録再生装置は、情報媒体の回転中心に嵌合し前記情報媒体を所定の回転数で回転する回転手段と、前記情報媒体が備える情報層にユーザデータ信号の授受をするヘッド手段と、前記ユーザデータ信号を変換し前記情報層に記録または再生する記録再生手段と、前記回転手段、前記ヘッド手段及び前記記録再生手段を有する装置本体部と、前記情報媒体を外部から前記装置本体部内部に挿入する挿入口と、前記挿入口から回転手段まで前記情報媒体を搬送する搬送手段とを有し、前記挿入口から前記搬送手段を介して前記情報媒体を前記装置本体部に挿入する際に、当該情報媒体の落下を防止し前記挿入口へ前記情報媒体の挿入を補助する挿入補助手段を備える。
【０００９】
上述の挿入補助手段における情報媒体との接触部は、挿入方向に対し直交する方向の中心部がテーパ形状または曲面形状に陥没する構成が好ましい。
【００１０】
上述の挿入補助手段に情報媒体を載置した際に、当該情報媒体を検出する検出手段を備えることが好ましい。
【００１１】
挿入口と装置本体との間に情報は遺体の挿入を阻止するシャッター手段を備え、検出手段が情報媒体を検出したときに当該シャッターを開扉する構成が好ましい。
【００１２】
挿入補助手段を照射する発行手段をさらに備えることが好ましい。
【発明の効果】
【００１３】
上記構成により、使用者は挿入補助手段の上に情報媒体を載置することで、挿入口に対し正確に挿入することができると共に、挿入に際して情報媒体の落下を防止することができるため、挿入位置を的確に認識することができ、安定した挿入を実現できる。
【発明を実施するための最良の形態】
【００１４】
次に、本発明の最良の実施形態について図面を参照しながら詳述する。図１は本発明に係る記録再生装置の一実施形態の構成を説明する３面図で、図２は図１における要部拡大斜視図である。図において、１０１はビデオテープレコーダ装置の本体パネル、１０２は本体パネル１０１の前面を覆うフロントパネル、１０３は挿入口、１０４はビデオテープレコーダ装置のパワースイッチ、１０５は操作パネル、１０６は操作スイッチ、１０７は挿入補助部、１０８はビデオカセットテープである。ビデオカセットテープ１０８を挿入口１０３から装置本体に挿入し、操作スイッチ１０６を押下することにより、装置本体に装着されたビデオカセットテープ１０８は操作スイッチ１０６の操作指令に応じて録画または再生を行う。この際の操作状況は操作パネル１０５により視認することができる。本実施形態のビデオテープレコーダ装置はテープカセット１０８を挿入口１０３から挿入する際に、図２に示したようにテープカセット１０６を挿入補助部１０７上に載置し、しかる後テープカセット１０８を装置本体方向（図中矢印Ａ方向）に押圧して挿入するため、使用者の挿入ミスを防止することができ、確実に挿入・装着することができる。なお、挿入口１０３と装置本体との間には通常シャッターを備えているが、当該シャッターに対してビデオテープカセット１０８を正確に当接することができ、シャッターの開扉動作もスムーズに行うことができる。
【００１５】
図３は本発明における記録再生装置の他の実施形態の構成を説明する３面図で、図４は図３における要部拡大斜視図である。図において、２０１は光ディスク装置の本体パネル、２０２は本体パネル２０１の前面を覆うフロントパネル、２０３は挿入口、２０４は光ディスク装置のパワースイッチ、２０５は操作パネル、２０６は操作スイッチ、２０７は挿入補助部、２０８は光ディスクである。光ディスク２０８を挿入口２０３から装置本体に挿入し、操作スイッチ２０６を押下することにより、装置本体に装着された光ディスク２０８は操作スイッチ２０６の操作指令に応じて記録または再生を行う。この際の操作状況は操作パネル２０５により視認することができる。本実施形態の光ディスク装置は光ディスク２０８を挿入口２０３から挿入する際に、図４に示したように光ディスク２０６を挿入補助部２０７上に載置し、しかる後光ディスク２０８を装置本体方向（図中矢印Ｂ方向）に押圧して挿入するため、使用者の挿入ミスを防止することができ、確実に挿入・装着することができる。特に、図４に示したようなカートリッジに装着されていないいわゆる裸ディスクを取り扱う場合には、例えば図１７に示した特許文献２に開示の構成では、挿入口１０に対し正確に挿入しないと、ディスク１１を落下させ情報信号を記録または再生する情報層（通常は図の下側に存在する）を損傷する、あるいはディスク１１の外周がフロントパネル９と当接することにより当該ディスク１１の外周に傷が付く等の課題があったが、本実施形態では挿入補助部２０７を備えているため、光ディスク２０８を当該挿入補助部２０７に載置することで、落下を抑制できると同時に、挿入補助部２０７の面に沿って矢印Ｂ方向に挿入するだけで挿入口２０３に対して位置決めができるので、光ディスク２０８の外周に傷等を付けることもない。また、挿入口２０３と装置本体との間には通常シャッターを備えているが、当該シャッターに対して光ディスク２０８を正確に当接することができ、シャッターの開扉動作もスムーズに行うことができる。なお、挿入補助部２０７は例えば図５に示したように本体パネル３０１の前面を覆うフロントパネル３０２の一部を、フロントパネル３０２の幅方向全部に亘り突出させた挿入補助部３０７であっても、光ディスク３０８の落下を防止することができる。しかしながら、挿入口３０３の位置の特定は若干劣るため、図４の構成の方が好ましい。なお、図３〜図５ではカートリッジに収納されていない裸ディスクで説明したが、カートリッジに収納した光ディスクであっても挿入補助部２０７及び３０７の作用効果は全く同様である。
【００１６】
図６は本発明における記録再生装置の別の実施形態の構成を説明する３面図である。図において、４０１は光ディスク装置の本体パネル、４０２は本体パネル４０１の前面を覆うフロントパネル、４０３は挿入口、４０４は光ディスク装置のパワースイッチ、４０５は操作パネル、４０６は操作スイッチ、４０７は挿入補助部、４１０は挿入口４０３と不図示の装置本体との間に位置するシャッターである。不図示の光ディスクを挿入口４０３から装置本体に挿入すると、シャッター４１０が押圧されることにより不図示の機構によりメカニカルに開扉し、光ディスクは装置本体に装着される。その後、操作スイッチ４０６を押下することにより、装置本体に装着された光ディスクは操作スイッチ４０６の操作指令に応じて記録または再生を行う。この際の操作状況は操作パネル４０５により視認することができる。本実施形態における挿入補助部４０７は、図３の挿入補助部２０７の矩形形状をＲ形状にしただけであり、挿入補助部４０７に関する作用効果は挿入補助部２０７と同様である。但し、挿入補助部４０７の外形形状にＲ形状を採用することで、例えば図３の挿入補助部２０７のような矩形形状突起の角に不用意に当接する危険性を解消することができる。なお、本実施形態の光ディスク装置は挿入口４０３を覆うシャッター４１０を備えたため、装置本体への塵埃等の混入を抑制することができ、例えば光ディスクの情報層に対して情報信号の授受を担う光ピックアップの汚染を抑制することができる。なお、シャッター４１０の開扉動作は、上述したように光ディスクの外周とシャッター４１０との当接によりメカニカルに行うが、挿入補助部４０７上に光ディスクを載置することにより、光ディスクの外周とフロントパネルとが徒に当接することを抑制することができるため、光ディスクの外周の損傷を防止することができる。また、なお、本実施形態ではカートリッジに収納されていない裸ディスクで説明したが、カートリッジに収納した光ディスクであっても挿入補助部４０７の作用効果は全く同様である。
【００１７】
図７は本発明における記録再生装置の他の実施形態の構成を説明する３面図である。図において、５０１は光ディスク装置の本体パネル、５０２は本体パネル５０１の前面を覆うフロントパネル、５０３は挿入口、５０４は光ディスク装置のパワースイッチ、５０５は操作パネル、５０６は操作スイッチ、５０７は挿入補助部、５０９は挿入補助部５０７の陥没部、５１０は挿入口５０３と不図示の装置本体との間に位置するシャッターである。不図示の光ディスクを挿入口５０３から装置本体に挿入すると、シャッター５１０が押圧されることにより不図示の機構によりメカニカルに開扉し、光ディスクは装置本体に装着される。その後、操作スイッチ５０６を押下することにより、装置本体に装着された光ディスクは操作スイッチ５０６の操作指令に応じて記録または再生を行う。この際の操作状況は操作パネル５０５により視認することができる。本実施形態における挿入口５０３と装置本体との間に位置するシャッター５１０は、図６で説明したシャッター４１０と作用効果は同様である。また、本実施形態の挿入補助部５０７の外形形状も、図６の挿入補助部４０７と同一形状を備え、同様の作用効果を奏する。但し、本実施例における挿入補助部５０７の光ディスク載置面は、当該挿入補助部５０７上における挿入口５０３への光ディスク挿入方向に対し、直交する幅方向中央部がテーパ状に陥没した陥没部５０９を備える。この両側にテーパ形状を有する陥没部５０９により、図６で説明した挿入補助部４０７のように平面では載置する光ディスクの情報層が接触するが、当該テーパ形状に光ディスクの外周が点状接触するため、挿入補助部５０７の光ディスク載置面と光ディスクの情報層との接触を避けることができ、光ディスクの情報層に対しより信頼性を高めることができる。なお、当該テーパ形状部を、大径の光ディスク（例えば１２ｃｍ）と小径の光ディスク（例えば８ｃｍ）とが共に外周で点接触をする範囲まで拡大すると、光ディスクの径に依存せず情報層に対する信頼性を向上することができる。
【００１８】
図８は本発明における記録再生装置の他の実施形態の構成を説明する要部拡大斜視図である。図において、６０１は光ディスク装置の本体パネル、６０２は本体パネル６０１の前面を覆うフロントパネル、６０３は挿入口、６０７は挿入補助部、６０８は光ディスク、６０９は挿入補助部６０７の陥没部、６１０は挿入口６０３と不図示の装置本体との間に位置するシャッターである。光ディスク６０８を挿入口６０３から装置本体に挿入すると、シャッター６１０が押圧されることにより不図示の機構によりメカニカルに開扉し、光ディスク６０８は装置本体に装着される。本実施形態における挿入口６０３と装置本体との間に位置するシャッター６１０は、図６及び図７で説明したシャッター４１０及び５１０と作用効果は同様である。また、本実施形態の挿入補助部６０７は、図５の挿入補助部３０７と同様にフロントパネル６０２の幅方向全部に亘り突出させた外形形状を備える。また、本実施形態における挿入補助部６０７の光ディスク６０８載置面は、挿入補助部６０７上における挿入口６０３への光ディスク挿入方向に対し、直交する幅方向中央部が曲面状に陥没した陥没部６０９を備える。この陥没部６０９を備えることにより、図５の構成では挿入口３０３に対する位置決め精度に劣る課題を解決できる。また、曲面形状の陥没部６０９を備えることにより、図７における陥没部５０９と同様に、光ディスク６０８の径に依存せず情報層と挿入補助部６０７との面接触を防止することができ、光ディスク６０８の情報層に対する信頼性を向上させることができる。なお、陥没部の形状は図７で例示したテーパ形状または図８で例示した曲面形状以外に、凹形状であっても適用することができる。但し、凹形状の場合には、トレイに見受けられるように、外周近傍のみが面接触するように２段差、径が異なる光ディスクを考慮する場合には用いる径の種類より１つだけ多い段差を備えることが好ましい。なお、この陥没部５０９、６０９及び７０９を備えた構成はカートリッジに収納していない裸ディスクだけではなく、カートリッジに収納した光ディスクに位置決めも同様に確実にすることができる。
【００１９】
図９は本発明における記録再生装置の別の実施形態の構成を説明する要部拡大斜視図、図１０は同要部拡大正面図である。図において、７０１は光ディスク装置の本体パネル、７０２は本体パネル７０１の前面を覆うフロントパネル、７０３は挿入口、７０７は挿入補助部、７０８は光ディスク、７０９は挿入補助部７０７の陥没部、７１０は挿入口７０３と不図示の装置本体との間に位置するシャッター、７１１はセンサー孔である。光ディスク７０８を挿入口７０３から装置本体に挿入すると、シャッター７１０が開扉し、光ディスク７０８は装置本体に装着される。なお、本実施形態における挿入口７０３と装置本体との間に位置するシャッター７１０については後述するように、図６、図７及び図８で説明したメカニカル駆動のシャッター４１０、５１０及び６１０と開扉に際しての動作は異なるが、防塵等の作用効果は同様である。また、本実施形態の挿入補助部７０７の外形形状は、図６及び図７の挿入補助部４０７及び５０７と同様であるが、図１０に示すように光ディスク７０８の挿入方向Ｅに対しても傾きを有する。この挿入方向に対する傾きを有することにより、光ディスク７０８の挿入補助部７０７に対し載置する際に、光ディスク７０８の中心孔と外周とを把持しての載置性を向上させることができ、また挿入補助部７０７に載置した光ディスク７０８を挿入口７０３への挿入に際して、シャッター７１０に対する角度（すなわち、挿入補助部７０７と光ディスク７０８との載置面がフロントパネル７０２に対して成す角度）方向がシャッター７１０の開扉動作方向に近付けることができ、シャッター７１０と挿入口７０３との間に光ディスク７０８が挟み込まれることをより開扉することができる。なお、本実施形態における挿入補助部７０７の両幅方向にはサイド挿入補助部７０７ａを備えているため、挿入補助部７０７に載置した後挿入口７０３へ光ディスク７０８の挿入に際して、当該光ディスク７０８の外周を一対のサイド挿入補助部７０７ａが当接することでガイドすることで、光ディスク７０８の挿入のより確実性が向上する。また、例えば図面の右側を下にした縦置きの場合でも、当該サイド挿入補助部７０７ａが光ディスク７０８の外周に当接することで挿入口７０３への挿入を補助する効果も奏する。さらに、本実施形態では、挿入補助部７０７の略中央部にセンサー孔７１１を備えることで、後述するようにシャッター７１１の開扉動作を連動させることができ、また挿入補助部７０７に載置されている物体が光ディスク７０８かそれ以外かを検出し、光ディスク７０８以外の場合には例えばシャッター７１０を閉じる構成も可能であり、異物を誤って装着することによる光ディスク装置に対するトラブルを未然に防止することもできる。センサー孔７１１の一例として、シャッター７１０の開扉動作と連動する構成の一例を、図１１Ａ及び図１１Ｂを参照して説明する。
【００２０】
図において、７０１、７０２、７０７、７０８、７１０及び７１１は先に説明したとおりであるが、シャッター７１０は回動軸７１２の周りにソレノイド７１３の伸縮より回動し挿入口７０３（図９参照）を開閉する。センサー孔７１１の下部には光源と当該光源が発行した光の反射光を受光する受光部とを備えたセンサー７１４を備える。光ディスク７０８が矢印Ｅ方向に進み挿入補助部７０７のセンサー孔７１１上に載置されると、センサー７１４の光源から発行した光が光ディスク７０８の情報層を照射し、当該情報層で反射した反射光をセンサー７１４の受光部で受光し、センサー孔７１１上に光ディスク７０８が載置されてことを検出する。光ディスク７０８であるとセンサー７１４が検出すると、不図示の回路を介してソレノイド７１３に電流を供給し、電流を供給されたソレノイド７１３は縮み、回動軸７１２周りにシャッター７１０を回動することによって挿入口７０３を開扉する。シャッター７１０の回動により開扉された挿入口７０３を通じて光ディスク７０８を記録再生部７１５の方向に押し入れると、光ディスク７０８は搬送ローラ７１６と位置決め部７１７とに挟持され、搬送ローラ７１６の駆動力により記録再生部７１５にローディングされる。光ディスク７０８の記録再生部７１５へのローディングが終了すると、不図示のローディング駆動回路からの指令に基づき、ソレノイド７１３に電流を供給し回動軸７１２周りにシャッター７１０を回動することで挿入口７０３を閉扉する。このような構成を備えることにより、光ディスク７０８の挿入口７０３に対する挿入動作の確実性及び安定性を維持しながら、光ディスク７０８がシャッター７１０と挿入口７０３との間に挟持され光ディスク７０８の情報層に損傷を与えることを回避することができる。なお、このセンサー７１４が備える光源の波長及び／または受光部の受光感度等を調整することにより、センサー孔７１１上に載置されている物体を特定することができ、搬送ローラ７１６と位置決め部７１７との間及び記録再生部７１５に例えば誤って異物を導入することも抑制することができる。
【００２１】
図１２は本発明における記録再生装置の他の実施形態を示す要部拡大３面図である。同図において、８０１は光ディスク装置の本体パネル、８０２は本体パネル８０１の前面を覆うフロントパネル、８０３は挿入口、８０７は挿入補助部、８０９は挿入補助部８０７の陥没部、８１０は挿入口８０３と不図示の装置本体との間に位置するシャッター、８１６は発光体である。不図示の光ディスクを挿入口８０３から装置本体に挿入すると、シャッター８１０が押圧されることにより不図示の機構によりメカニカルに開扉し、光ディスクは装置本体に装着される。なお、本実施形態でも図１１Ａ及び図１１Ｂを参照して説明したように、センサー孔８１１、不図示のセンサー（図１１Ａ及び図１１Ｂのセンサー７１４に相当）、及び伸縮運動や回転運動等の運動に電気信号を変換する機器（例えば同図のソレノイド７１３に相当）を備えると、シャッター８１０の回避動作を自動化できる。本実施形態でも、挿入補助部８０７に不図示の光ディスクを一旦載置した後挿入口８０３に当該光ディスクを挿入する挿入性の向上効果と、サイド挿入補助部８０７ａを備えているため、挿入補助部８０７に載置後挿入口８０３への挿入動作時に光ディスクの外周が一対のサイド挿入補助部８０７ａに当接・案内する効果、及び縦置きにも対応できる効果も上述の実施形態と同様である。本実施形態における特長点は、発光体８１６を備える構成であり、光ディスクを挿入補助部８０７に載置及び挿入口８０３へ挿入する際に、当該挿入補助部８０７のみならず発光体８１６による光によるガイド機能も備えるため、光ディスクの挿入性の確実性がさらに向上させることができる。なお、本実施形態ではサイド挿入補助部８０７ａに供する材料に光透過性物質を適用するが、挿入補助部８０７にも光透過性物質で成形すると挿入口８０３周り全体を間接照明できるため、使用者に対する注意喚起と共に、美観性も向上することができる。なお、発光体８１６としては例えばＬＥＤを適用すれば色合い、輝度の調整の自由度を増しながら電力消費も安価にすることができる。あるいは、センサー孔８１１を有し、前述したように光ディスクのみを検出するセンサーを備える構成の場合では、記録再生装置をスタンバイ状態にし、挿入補助部８０７に光ディスクを載置した時に発光体８１６が発行する構成も採用でき、この構成では挿入補助部８０７に載置した物体が光ディスクか否かを発光体８１６が発行する光によっても使用者が確認できるため好ましい。
【００２２】
図１３は、本発明における記録再生装置の他の実施形態を示す要部拡大斜視図である。図において、９０１は光ディスク装置の本体パネル、９０２は本体パネル９０１の前面を覆うフロントパネル、９０３は挿入口、９０７は挿入補助部、９０８は光ディスク、９０９は挿入補助部９０７の陥没部、９１０は挿入口９０３と不図示の装置本体との間に位置するシャッター、９１７はフロントパネル湾曲部である。光ディスク９０８を挿入口９０３から装置本体に挿入すると、シャッター９１０が開扉し、光ディスク９０８は装置本体に装着される。この挿入補助部９０７を備えることによって、挿入口９０３に対する光ディスク９０８の挿入性の向上効果は、先の何れの実施形態と同様である。また、サイド挿入補助部９０７ａを備えているため、挿入補助部９０７に載置後挿入口９０３への挿入動作時に光ディスク９０８の外周が一対のサイド挿入補助部９０７ａに当接・案内する効果、及び縦置きにも対応できる効果も上述の実施形態と同様である。また、シャッター９１０を備えることによる防塵等の効果も先の実施形態を同様である。本実施形態における特長点は、挿入補助部９０７が装置本体側に陥没した構成を備える、すなわちフロントパネル湾曲部９１７を備える点である。この構成によって、挿入補助部９０７はフロントパネル９０２から突出することがないため、上述の通り光ディスク９０８の挿入の確実安定性を確保しながら、記録再生装置の前面に突出物が存在する違和感をなくすことができ、品位も向上できる。
【００２３】
図１４は、本発明における記録再生装置の一応用例の構成を示す斜視図である。同図は表示パネル１０１８の脚１０１９を支える台座１０２０に本発明の記録再生装置（不図示）を組み込んだ構成である。台座１０２０に組み込んだ記録再生装置に光ディスク１００８を矢印方向に挿入する際に、挿入補助部１００７に一旦載置した後挿入する。一般的に表示パネル１０１８は視認者の目の高さに設定されているため、同図の構成のように光ディスク１００８を挿入口１００３に挿入する際に、図１７に示した従来構成では視認者が屈み込む必要があったが、本実施形態では挿入補助部１００７が挿入口１００３への案内となると共に載置場所も兼ねるため、光ディスク１００８の挿入性が飛躍的に向上させることができ、以て光ディスク１００８の損傷を抑制できる。
【００２４】
図１５は、本発明における記録再生装置の他の応用例の構成を示す斜視図である。同図はポータブル型の記録再生装置であり、光ディスク１１０８は挿入補助部１１０７の上に一旦載置し、挿入口１１０３に向けて押し込み、記録再生部１１１５にローディングし装着する。なお、サイド挿入補助部１１０７ａを備えることにより、縦置きの場合でも光ディスク１１０８の外周を当該サイド挿入補助部１１０７ａによりガイドできるため、挿入口１１０３への挿入は確実かつ安定性が確保することができる。また、本実施形態の挿入補助部１１０７はフロントパネル湾曲部１１１７を備えているため、記録再生装置として体積的に変わりなく構成でき、例えばケースに記録再生装置を収納、またはポケット等に記録再生装置を入れる場合でも、突起物に起因する引っかかりを抑制できる。
【００２５】
なお、上述の何れの実施形態でも、挿入補助部及びサイド挿入補助部は適用する情報媒体の一部のみ載置・ガイドすればよいため、その面積（突出量または陥没量）については適宜選択して適用することができる。
【産業上の利用可能性】
【００２６】
本発明は、据置き機器、ポータブル機器他種々の形態の記録再生装置に適用できる。
【図面の簡単な説明】
【００２７】
【図１】（ａ）は本発明の記録再生装置の一実施形態を説明する上面図、（ｂ）は同正面図、（ｃ）は同側面図
【図２】同実施形態の要部斜視図
【図３】（ａ）は本発明の記録再生装置の他の実施形態を説明する上面図、（ｂ）は同正面図、（ｃ）は同側面図
【図４】同実施形態の要部斜視図
【図５】本発明の別の実施形態を説明する要部斜視図
【図６】（ａ）は本発明の記録再生装置のその他の実施形態を説明する上面図、（ｂ）は同正面図、（ｃ）は同側面図
【図７】（ａ）は本発明の記録再生装置の他の実施形態を説明する上面図、（ｂ）は同正面図、（ｃ）は同側面図
【図８】本発明の別の実施形態を説明する要部斜視図
【図９】本発明のその他の実施形態を説明する要部斜視図
【図１０】同実施形態を説明する要部正面図
【図１１Ａ】同実施形態を説明する要部断面図
【図１１Ｂ】同実施形態を説明する要部断面図
【図１２】（ａ）は本発明の記録再生装置の他の実施形態を説明する上面図、（ｂ）は同正面図、（ｃ）は同側面図
【図１３】本発明の別の実施形態を説明する要部斜視図
【図１４】本発明の他の実施形態を説明する要部斜視図
【図１５】本発明のその他の実施形態を説明する要部斜視図
【図１６】従来の情報記録再生装置の一例を説明する要部断面図
【図１７】従来の情報記録再生装置の他の例を説明する要部斜視図
【符号の説明】
【００２８】
１０１  本体パネル
１０２  フロントパネル
１０３  挿入口
１０７  挿入補助部
１０８  ビデオカセット
【図１】
2006164441.tif 000003
【図２】
2006164441.tif 000004
【図３】
2006164441.tif 000005
【図４】
2006164441.tif 000006
【図５】
2006164441.tif 000007
【図６】
2006164441.tif 000008
【図７】
2006164441.tif 000009
【図８】
2006164441.tif 000010
【図９】
2006164441.tif 000011
【図１０】
2006164441.tif 000012
【図１１Ａ】
2006164441.tif 000013
【図１１Ｂ】
2006164441.tif 000014
【図１２】
2006164441.tif 000015
【図１３】
2006164441.tif 000016
【図１４】
2006164441.tif 000017
【図１５】
2006164441.tif 000018
【図１６】
2006164441.tif 000019
【図１７】
2006164441.tif 000020